(57)【特許請求の範囲】
【請求項１】
長尺の金属板からなる屋根用部材であり、かつ、既存石綿含有建材の屋根版にその屋根用部材の金属板を折り曲げたネジ止めする部分をネジ止めする改修工法に使用する屋根用部材に関して、
その屋根用部材により一部を覆われた既存屋根版と屋根用部材のネジ止めする部分との間に粘着性の隔板を介する第１の手段か、
既存屋根版と屋根用部材のネジ止めする部分との間に、空間を設けた隔板を施工して形成した空間を介する第２の手段か、
何れかの手段により既存屋根版の切り粉のネジ止めによる上がりを防止して屋根用部材を既存屋根版にネジ止めする事を特徴とする屋根用部材。
【請求項２】
請求項１記載の第１の手段に使用される、屋根用部材のネジ止めする部分に粘着性のシート状の隔板を貼り付けることにより、既存石綿含有建材の屋根版の切り粉のネジ止めによる上がりを防止して、屋根用部材を既存屋根版にネジ止めする屋根用部材。
【請求項３】
請求項１記載の第２の手段に使用される隔板であり、既存石綿含有建材の屋根版にネジ止めする部分を持つ屋根用部材と、既存屋根版との間に施工され、
切り粉のネジ止めによる上がりを防止する空間を既存屋根版と屋根用部材のネジ止めする部分との間に形成する事を特徴とする隔板。
【請求項４】
請求項１記載の、第１の手段か第２の手段か何れかの手段を使用して、
石綿含有建材の既存屋根版に屋根用部材をネジ止めすることによる切り粉のネジ止めによる上がりを防止する事を特徴とする屋根改修構造。
【発明の詳細な説明】
【技術分野】
【０００１】  この発明は、石綿スレート板や石綿含有セメント板等の、石綿含有建材の改修に使用する部材を、石綿含有建材に取り付けるにあたって、ネジ止めすると、既存石綿含有建材への衝撃が少なくなり、割れの発生が防止され安定した施工となる、改修工法に関する。【０００２】  従来の、石綿含有建材の改修の技術には、新規の部材を取り付ける手段についての明確な記載は見あたらない。
（例えば、特許文献１参照）。
【特許文献１】    特開平９−３１７０８８
【発明の開示】
【発明が解決しようとする課題】
【０００３】  従来、石綿含有建材の改修に、部材をネジ止めすると、既存の石綿含有建材に衝撃を与えずに、建材の割れも無く、安定した施工となるが、ネジにより削られた、石綿含有建材の切り粉がネジ山をつたって上がってきて、石綿の粉末が飛散する問題があった。
【課題を解決するための手段】
【０００４】  この発明は、石綿含有建材の改修に使用する部材を、ネジ止めする改修工法に関して、切り粉の上がりを防止する手段を介して、部材を石綿含有建材にネジ止めする事を特徴とする部材とそれによる改修構造である。
【発明の効果】
【０００５】  この発明による部材とそれによる改修構造には、次のような効果がある。【０００６】Ａ．石綿含有建材の改修に使用する部材を、ネジ止めする改修工法に関して、切り粉の上がりを防止する手段を介して、部材を石綿含有建材にネジ止めする事により、
ａ．石綿の粉末の飛散を防止しながら、既存の石綿含有建材に衝撃を与えずに、建材の割れも無く、安定した施工行うことが可能となった。【０００７】Ｂ．前記の切り粉の上がりを防止する手段が、部材を粘着性の隔板を介してネジ止めし、ネジ山をつたう切り粉を粘着して止める部材とする事により、
ａ．簡単な構造の切り粉の上がりを防止する手段となり、
イ．生産工程が簡単になり、
ロ．部材の汎用性が向上し、
ｂ．部材の全長に亘って、粘着性の隔板を貼り付けることにより、
イ．ネジ止めの位置に制約が無くなり、施工性が向上し、
ロ．部材を切断して使用の場合にも、容易に対応可能となる。【０００８】Ｃ．前記の切り粉の上がりを防止する手段が、空間を介して、ネジ止めする部材とする事により、
ａ．空間により、ネジ山をつたう切り粉を多量に、止めることが可能となり、
イ．ネジ径の太いネジや、ネジ部の長さが長いネジが使用可能となる。
ｂ．既存屋根版と他の屋根版との段差に、防水板を被せた、空間を介して、ネジ止めをする部材とする事により、
イ．屋根下地を平坦とする事により、改修工事が容易となる。【０００９】Ｄ．空間を設けたピース状の隔板を介して、ネジ止めする部材とする事により、
ａ．部材と下地との間に隙間を形成し、建築構造内に入った雨水を排出可能となり、
イ．雨漏れ防止となり、
ロ．雨漏れによる建築構造の腐朽や錆が防止可能となり、
ハ．建築構造の耐用年数が延びる。【００１０】Ｅ．部材を周囲閉鎖した空間を設けたピース状の隔板を介して、ネジ止めする部材とする
ａ．閉鎖した空間に切り粉を閉じこめ可能になり、
イ．切り粉が外部に排出されなくなり、石綿の飛散防止性能が向上する。【００１１】Ｆ．部材を既存建材を覆う部材と、改修用建材の施工はじめ部材とに分けることにより、
ａ．既存建材を覆う部材の形状が簡単となり、
イ．多様な既存建材に最適な部材が安価に生産可能となる。
ｂ．既存建材を覆う部材と、改修用建材の施工はじめ部材との間の位置関係を調整可能となり、
イ．施工性が向上する。【００１２】Ｇ．この発明による改修構造とすることにより、
ａ．石綿含有建材の改修に、作業中の石綿の飛散を防止し可能となり、
ｂ．施工容易となり、
ｃ．施工コストが低下する。
【発明を実施するための最良の形態】
【００１３】Ａ．この発明による金属板は、
ａ．次に代表される塗装金属板や、
イ．塗装亜鉛メッキ鋼板
ロ．塗装アルミニウム亜鉛合金メッキ鋼板
ハ．塗装ステンレス鋼板
ニ．塗装銅板
ホ．塗装アルミニウム合金板
ヘ．合成樹脂シート張り合わせ金属板
ト．塗装チタン・ニッケル合金板
チ．その他の塗装合金鋼等
ｂ．次に代表される無塗装金属板、
イ．亜鉛メッキ鋼板
ロ．アルミニウム亜鉛合金メッキ鋼板
ハ．ステンレス鋼板
ニ．銅板
ホ．アルミニウム合金板等
ヘ．チタン・ニッケル合金板
ト．その他の合金鋼等
ｃ．それらの金属板に深いエンボス加工を加えた金属板
ｄ．エンボス加工の上に塗装した金属板
ｅ．次に代表されるバネ用板
イ．バネ用ステンレス板
ロ．バネ用炭素鋼板
ハ．バネ用銅合金板等を使用する。【００１４】Ｂ．この発明に使用される屋根板や部材の釘打ち固定には、
ａ．次に代表される、固定具を使用し、
イ．セルフドリリングタッピングビス
ロ．釘
ハ．ホッチキス
ニ．木ネジ
ホ．コースレッド等
ｂ．また、ネジは、
イ．セルフドリリングタッピングビス
ロ．木ネジ
ハ．コースレッド等を使用し、【００１５】Ｃ．この発明に使用される発泡合成樹脂等は、
ａ．建築用パネルの裏打材には、
イ．次に代表される発泡合成樹脂に
○硬質発泡ウレタン樹脂
○硬質発泡ヌレート樹脂
○発泡フェノール樹脂
○発泡スチレン樹脂等
ロ．次に代表される裏面材を積層している。
○はり合わせアルミニウム箔
○スチールペーパー
○ポリエチコートクラフト紙
○アルミ蒸着紙
○合成樹脂シート等
ハ．前記の金属板と裏面材との間に、それらの発泡合成樹脂を充填し、主に発泡合成樹脂の自己接着性を利用して、積層している。
ニ．また、裏面材を欠いた発泡合成樹脂のみの、裏打材とする事も可能である。
ｂ．この発明の防水板には、
イ．木材・合板
ロ．低発泡の発泡合成樹脂等が使用され、
ｃ．この発明の防水紙には、
イ．ゴムアスファルトルーフィング
ロ．アスファルトルーフィング
ハ．アスファルトフェルト
ニ．シート防水材等が使用され、
ｄ．粘着性のシートには、
イ．ゴムアスファルトルーフィング
ロ．ブチルゴム系防水シート
ハ．アクリル系防水シート等が使用される。【００１６】  発明の実施例について、次の、実施例１、実施例２、実施例３、実施例４、及び実施例５により、図面を参照して説明する。
【実施例１】
【００１７】  図１，図２，図３，図４，図５，及び図６は、この発明の実施例１を示すものである。【００１８】Ａ．図４に示す、実施例１においての屋根板１は、
ａ．金属板６による長尺の表面材１ａを成形して、ほぼ平坦な屋根板面１ｂを形成し、
ｂ．その屋根板面１ｂの一側端に、次のような前端面１ｃと差込片１ｄとを形成し、
イ．表面材１ａをくの字形に裏面側に折り曲げて前端面１ｃを形成し、
ロ．その前端面１ｃを、さらに鋭角に裏面側に折り曲げて、そして、先端を表面側に折り返した差込片１ｄを形成し、
ｃ．そして、その屋根板面１ｂの他側端に、次のような嵌合片１ｆと嵌合溝１ｅと釘打片１ｇとを形成し、
イ．屋根板面１ｂを、表面側にＵ字形に折り曲げて、嵌合溝１ｅを形成し、
ロ．その嵌合溝１ｅを裏面側に折り返して、嵌合片１ｆを形成し、
ハ．その嵌合片１ｆを裏面側に鈍角のクランク状に折り曲げて、先端を表面側に折り返し、途中に裏面側に開口する断面半円形の突起を持つ、釘打片１ｇを形成し、
ｄ．それにまた、その成形した表面材１ａの裏面側に、
イ．前端面１ｃと屋根板面１ｂとの屈曲部から、嵌合溝１ｅ側の側端に亘る間を、裏面材１ｊにより覆った、発泡合成樹脂７ａによる次のような裏打材１ｉを形成し、
ロ．その裏打材１ｉの幅方向の断面は、屋根板面１ｂを底辺とし、その頂点が差込片１ｄ側によった薄い三角形に形成し、
ｅ．それらの表面材１ａと裏打材１ｉとを切断して、長手方向に切断端１ｈを形成している。【００１９】Ｂ．図５に示す、実施例１の唐草２は、長尺の金属板６を成形して、
ａ．ほぼ平坦な、唐草面２ａの一側端を裏面側にＬ字形に折り曲げ、その先端を裏面側に折り返した、唐草足２ｂを形成し、
ｂ．その唐草面２ａの他側部をＬ字形に裏面側に折り曲げて、更に表面側にコの字形に折り曲げて、嵌合口２ｃを形成し、
ｃ．更に、その嵌合口２ｃを裏面側に折り返して、嵌合辺２ｄを形成し、
ｄ．その嵌合辺２ｄを鈍角のクランク状に裏面側に折り曲げて、その先端を表面側に折り返した、固定片２ｅを形成し、
ｅ．また、その固定片２ｅの裏面側に粘着性のシート状の隔板３を貼り付けている。【００２０】Ｃ．図６に示す、実施例１の既存屋根５ｌは、
ａ．切妻の屋根の屋根下地５ｊに、野地板５ｋを張り、
ｂ．その野地板５ｋ先端下部に鼻隠５ｉを取り付けてあり、
ｃ．その野地板５ｋの先端に次のように水切５ｆを取り付けてあり、
イ．その水切５ｆは長尺の金属板６を成形して、
ロ．ほぼ平坦な、水切面５ｇの先端を裏面側に折り返して、
ハ．その水切面５ｇの他側部をＬ字形に裏面側に折り曲げて、その先端を表面側に折り返した釘打面５ｈを形成し、
ニ．その釘打面５ｈを、前記の野地板５ｋに釘打ち固定し、
ｄ．それらの上に、次のような屋根版５ａと開始版５ｅとを、
イ．その屋根版５ａは、繊維強化セメント板による、矩形の一長辺に、その長辺を底辺とする二等辺三角形を乗せた、５角形の薄板であり、
ロ．その屋根版５ａは、ほぼ平坦な屋根面５ｂと
ハ．矩形の長辺に前板端５ｃを形成し、
ニ．その矩形の両短辺に側板端５ｄを形成し、
ホ．また、その開始版５ｅは、ほぼ屋根版５ａと同様な形状で、
ヘ．その側板端５ｄに平行な方向の長さが、屋根版５ａより短く形成し、
ｅ．それらの、開始版５ｅと屋根版５ａとを、複数次のように施工し、
イ．まず、開始版５ｅの前板端５ｃを、前記の施工された水切５ｆの水切面５ｇから、２０ｍｍ程度出して、前記の野地板５ｋに釘打ち固定し、
ロ．その開始版５ｅの側板端５ｄに、他の開始版５ｅの側板端５ｄを当てて接した状態で、釘打ち固定し、
ハ．上記を繰り返して、屋根の軒先に複数の開始版５ｅを施工し、
ホ．その開始版５ｅの上に、次のように前記の屋根版５ａを重ねて、前記の野地板５ｋに釘打ち固定し、
○開始版５ｅの前板端５ｃに、屋根版５ａの前板端５ｃを合わせて、そして、開始版５ｅの側板端５ｄに、屋根版５ａの前板端５ｃの中央を合わせ、
ヘ．その屋根版５ａの側板端５ｄに、他の屋根版５ａの側板端５ｄを当てて接した状態で、釘打ち固定し、
ト．上記を繰り返して、屋根の軒先に複数の屋根版５ａの最初の列を施工し、
チ．その屋根版５ａの側板端５ｄの途中に、次の屋根版５ａの前板端５ｃの中央を合わせて、上記と同様にして、次の列の屋根版５ａを施工し、
リ．更に、同様にして、複数の列の屋根版５ａを施工し、
ｆ．その様にして施工した既存屋根５ｌの先端に、屋根版５ａと開始版５ｅとが、施工された水切５ｆの水切面５ｇから、出ている開始出５ｍが形成されている。【００２１】Ｄ．図１，図２，及び図３に示す、実施例１の改修屋根５の施工は、
ａ．次のようにして、前記の既存屋根５ｌの先端に、唐草２を施工し、
イ．唐草２の唐草足２ｂと固定片２ｅとの間を、既存屋根５ｌの開始出５ｍに被せて、その唐草足２ｂを、既存屋根５ｌの水切５ｆに当てた状態で、その固定片２ｅをネジ８により固定し、
ｂ．その唐草２の固定片２ｅの上から、既存屋根５ｌの屋根版５ａの上に、粘着性の防水紙４を貼り付け、
ｃ．そして、その唐草２の嵌合口２ｃに、屋根板１の差込片１ｄを差し込み、その屋根板１の釘打片１ｇを釘打ち固定し、
ｄ．その屋根板１の嵌合溝１ｅに、他の屋根板１の差込片１ｄを差し込み、後者の屋根材１の釘打片１ｇを釘打ち固定し、
ｅ．上記を繰り返し、既存屋根５ｌの屋根面５ｂの上面を防水紙４と、複数の屋根材１により覆い、
ｆ．また、既存屋根５ｌ開始出５ｍを唐草２の唐草足２ｂと唐草面２ａと嵌合口２ｃとにより覆う、改修屋根５を施工する。
【実施例２】
【００２２】  図７，図８，図９，図１０，図１１，及び図１２は、この発明の実施例２を示すものである。【００２３】Ａ．図１０に示す、実施例２においての屋根板１は、
ａ．金属板６による長尺の表面材１ａを成形して、ほぼ平坦な屋根板面１ｂを形成し、
ｂ．その屋根板面１ｂの一側端に、次のような前端面１ｃと差込片１ｄとを形成し、
イ．表面材１ａをくの字形に裏面側に折り曲げて前端面１ｃを形成し、
ロ．その前端面１ｃを、さらに鋭角に裏面側に折り曲げて、そして、裏面側に折り返して先端がナス型にふくれ、さらに、前端面１ｃと屋根板面１ｂとの裏面に沿って延長した、差込片１ｄを形成し、
ｃ．そして、その屋根板面１ｂの他側端に、次のような嵌合片１ｆと嵌合溝１ｅと釘打片１ｇとを形成し、
イ．屋根板面１ｂを、表面側にＵ字形に折り曲げて、嵌合溝１ｅを形成し、
ロ．その嵌合溝１ｅを裏面側に折り返して、嵌合片１ｆを形成し、
ハ．その嵌合片１ｆを裏面側に鈍角のクランク状に折り曲げて、先端を表面側に折り返し、途中に裏面側に開口する断面半円形の突起を持つ、釘打片１ｇを形成し、
ｄ．それにまた、その成形した表面材１ａの裏面側に、
イ．屋根板面１ｂの裏面側の差込片１ｄの表面材１ａの延長の側端から、嵌合溝１ｅ側の側端に亘る間を、裏面材１ｊにより覆った、発泡合成樹脂７ａによる次のような裏打材１ｉを形成し、
ロ．その裏打材１ｉの幅方向の断面は、差込片１ｄの表面材１ａの延長を屋根板面１ｂから差し引いたものを底辺とし、その頂点が差込片１ｄ側によった薄い三角形に形成し、
ｅ．それらの表面材１ａと裏打材１ｉとを切断して、長手方向に切断端１ｈを形成している。【００２４】Ｂ．図１１に示す、実施例２の唐草２と嵌合材２ｈは、
ａ．唐草２は、長尺の金属板６を成形して、
イ．ほぼ平坦な、唐草面２ａの一側端を裏面側に鈍角のクランク状に折り曲げ、その先端を裏面側に折り返した、唐草足２ｂを形成し、
ロ．その唐草面２ａの他側部をＬ字形に裏面側に折り曲げて、その途中に裏面側に開口するＵ字形に表面側に隆起する固定突起２ｆを形成し、その先端を表面側に折り返した、固定片２ｅを形成し、
ｂ．嵌合材２ｈは、長尺の金属板６を成形して、
イ．表面側にコの字形に折り曲げて、嵌合底２ｋと、
ロ．その嵌合底２ｋの両側の嵌合側端２ｊからなる嵌合隙２ｉを形成し、その嵌合側端２ｊの一側部の先端を裏面側に折り返してあり、
ハ．更に、他方の嵌合側端２ｊを裏面側に折り返して、２回鈍角に裏面側に折り曲げて、取付底２ｍを形成し、
ニ．その取付底２ｍをＬ字形に表面側に折り曲げて、その先端を表面側に折り返した、取付片２１を形成している。【００２５】Ｃ．図１２に示す、実施例２の既存屋根５ｌは、
ａ．寄棟の屋根の屋根下地５ｊに、野地板５ｋを張り、
ｂ．その野地板５ｋ先端下部に鼻隠５ｉを取り付けてあり、
ｃ．その野地板５ｋの先端に次のように水切５ｆを取り付けてあり、
イ．その水切５ｆは長尺の金属板６を成形して、
ロ．ほぼ平坦な、水切面５ｇの先端を裏面側に折り返して、
ハ．その水切面５ｇの他側部を鈍角に裏面側に折り曲げて、その先端を表囿側に折り返した釘打面５ｈを形成し、
ニ．その釘打面５ｈを、前記の野地板５ｋに釘打ち固定し、
ｄ．それらの上に、次のような屋根版５ａと開始版５ｅとを、
イ．その屋根版５ａは、繊維強化セメント板による、矩形の一長辺に、その長辺を底辺とする二等辺三角形を乗せた、５角形の薄板であり、
ロ．その屋根版５ａは、ほぼ平坦な屋根面５ｂと
ハ．矩形の長辺に前板端５ｃを形成し、
ニ．その矩形の両短辺に側板端５ｄを形成し、
ホ．また、その開始版５ｅは、ほぼ屋根版５ａと同様な形状で、
ヘ．その側板端５ｄに平行な方向の長さが、屋根版５ａより短く形成し、
ｅ．それらの、開始版５ｅと屋根版５ａとを、複数次のように施工し、
イ．まず、開始版５ｅの前板端５ｃを、前記の施工された水切５ｆの水切面５ｇから、２０ｍｍ程度出して、前記の野地板５ｋに釘打ち固定し、
ロ．その開始版５ｅの側板端５ｄに、他の開始版５ｅの側板端５ｄを当てて接した状態で、釘打ち固定し、
ハ．上記を繰り返して、屋根の軒先に複数の開始版５ｅを施工し、
ホ．その開始版５ｅの上に、次のように前記の屋根版５ａを重ねて、前記の野地板５ｋに釘打ち固定し、
○開始版５ｅの前板端５ｃに、屋根版５ａの前板端５ｃを合わせて、そして、開始版５ｅの側板端５ｄに、屋根版５ａの前板端５ｃの中央を合わせ、
ヘ．その屋根版５ａの側板端５ｄに、他の屋根版５ａの側板端５ｄを当てて接した状態で、釘打ち固定し、
ト．上記を繰り返して、屋根の軒先に複数の屋根版５ａの最初の列を施工し、
チ．その屋根版５ａの側板端５ｄの途中に、次の屋根版５ａの前板端５ｃの中央を合わせて、上記と同様にして、次の列の屋根版５ａを施工し、
リ．更に、同様にして、複数の列の屋根版５ａを施工し、
ｆ．その様にして施工した既存屋根５ｌの先端に、屋根版５ａと開始版５ｅとが、施工された水切５ｆの水切面５ｇから、出ている開始出５ｍが形成されている。【００２６】Ｄ．図７，図８，及び図９に示す、実施例２の改修屋根５の施工は、
ａ．次のようにして、前記の既存屋根５ｌ上に、防水板４ａを施工し、
イ．既存屋根５ｌの開始出５ｍの先端に、防水板４ａの先端を合わせて、釘打ち固定し、
ロ．そして、その防水板４ａの端部に、他の防水板４ａの端部を当てて接した状態で釘打ち固定し、
ハ．上記を繰り返して既存屋根５ｌ上に防水板４ａを敷き詰めて、
ｂ．そして、その防水板４ａの軒先の端部に、次のように、唐草２と嵌合材２ｈを取り付けて、
イ．唐草２の唐草面２ａと固定片２ｅとの角を、施工された防水板４ａの軒先の端部に当て、その固定片２ｅをネジ８により固定し、
ロ．その唐草２の固定突起２ｆに、嵌合材２ｈの取付底２ｍを当てて接した状態で、その取付片２１をネジ８により固定し、
ハ．そして、その唐草２の固定片２ｅから防水板４ａの上に、粘着性の防水紙４を貼り付け、
ｃ．そして、その嵌合材２ｈの嵌合隙２ｉに、屋根板１の差込片１ｄを差し込み、その屋根板１の釘打片１ｇを釘打ち固定し、
ｄ．その屋根板１の嵌合溝１ｅに、他の屋根板１の差込片１ｄを差し込み、後者の屋根材１の釘打片１ｇを釘打ち固定し、
ｅ．上記を繰り返し、既存屋根５ｌの屋根面５ｂの上面を防水紙４と、防水板４ａと、複数の屋根材１とにより覆い、
ｆ．また、既存屋根５ｌの開始出５ｍを唐草２の唐草足２ｂと唐草面２ａとにより覆う、改修屋根５を施工する。
【実施例３】
【００２７】  図６，図１３，図１４，図１５，図１６，図１７，及び図１８は、この発明の実施例３を示すものである。【００２８】Ａ．図１６に示す、実施例３においての屋根板１と鼻屋根板１ｐは、
ａ．屋根板１は、矩形の金属板６による表面材１ａを成形して、
イ．ほぼ平坦で矩形の屋根板面１ｂと、
ロ．その屋根板面１ｂの一側端を、
○表面側に小さな山形に折り曲げて、小隆起１ｎを形成し、
○さらに、その小隆起１ｎを表面側に大きな山形に折り曲げて、隆起部１ｍを形成し、
○そして、その隆起部１ｍを表面側に小さな山形に折り曲げて、他の小隆起１ｎを形成し、
ハ．また、その両側に小隆起１ｎを形成した隆起部１ｍと屋根板面１ｂとの組み合わせを、所定ピッチで複数形成し、
○その一方の側端は、隆起部１ｍのほぼ頂上に位置し、
○その他方の側端は、隆起部１ｍの外方の小隆起１ｎの外方に位置し、
ニ．そして、その成形した表面材１ａの流れ方向の端部の前端部１ｋから、後方の位置を表面側にクランク状に折り曲げて段差部１ｏを次のように形成し、
○前記の屋根板面１ｂにおいては、前端部１ｋ面に平行な段差部１ｏを配置し、
○隆起部１ｍと小隆起１ｎにおいては、屋根板面１ｂに４５度の傾斜で交差する面と、隆起部１ｍや小隆起１ｎとが構成する面との交線に、段差部１ｏを配置し、
○その段差部１ｏを所定ピッチで複数形成し、
○その段差部１ｏの後方の位置に、後端部１ｌを形成している構成としている。
ｂ．鼻屋根板１ｐは、矩形の金属板６による表面材１ａを成形して、
イ．屋根板１と同様の、屋根板面１ｂと、隆起部１ｍと、小隆起１ｎと、段差部１ｏとを形成し、
ロ．前記の屋根板１の前端部１ｋに相当する部分に、次のような鼻面１ｑを形成し、
○前端部１ｋの段差部１ｏに相当する部分を、裏面側にＬ字形に折り曲げた、鼻面１ｑを形成し、
ロ．鼻面１ｑの流れ方向の他端に、段差部１ｏを配置して、屋根板１と同様の後端部１ｌを形成する。【００２９】Ｂ．図１７に示す、実施例３の唐草２と面戸材２ｏは、
ａ．唐草２は、長尺の金属板６を成形して、
イ．ほぼ平坦な、唐草面２ａの一側端を裏面側に鈍角のクランク状に折り曲げ、その先端を裏面側に鋭角的に折り曲げた、唐草足２ｂを形成し、
ロ．その唐草面２ａの他側部をＬ字形に裏面側に折り曲げて、固定片２ｅを形成し、
ハ．その固定片２ｅの他側部をＬ字形に表面側に折り曲げて、次のような面戸覆２ｇを形成し、
○その面戸覆２ｇは、前記の屋根板１の、隆起部１ｍと小隆起１ｎの断面形状をほぼ呈し、そのピッチも合わせて複数形成してあり、
ｂ．面戸材２ｏは、発泡合成樹脂７ａを成形して、
イ．前記の屋根板１の、隆起部１ｍと小隆起１ｎの断面形状に合う、面戸面２ｐを形成し、
ロ．その面戸面２ｐの形状に厚みを与えて、隆起部１ｍと小隆起１ｎに合う、面戸隆起２ｑを形成している。【００３０】Ｃ．図１８に示す、実施例３においての隔板３は、
ａ．矩形の金属板６を成形して、
イ．ほぼ平坦な、隔板面３ａをクランク状に裏面側に折り曲げて、隔板溝３ｂを形成し
ロ．その隔板溝３ｂを、クランク状に表面側に折り曲げて、もう一つの隔板面３ａを形成し、
ハ．上記を繰り返して、隔板面３ａと隔板溝３ｂとを交互に複数形成し、
ニ．その隔板面３ａの裏面側に隔板隙３ｃを形成し、
ｂ．その隔板溝３ｂの底部の一端をＬ字形に裏面側に折り曲げて、隔板止３ｅを形成し、
ｃ．その隔板面３ａの隔板止３ｅ側の一端を延長して、Ｌ字形に裏面側に折り曲げて、唐草止３ｆを形成している。【００３１】Ｄ．図６に示す、実施例３においての既存屋根５ｌは、実施例１と同じものである。【００３２】Ｅ．図１３，図１４，及び図１５に示す、実施例３の改修屋根５の施工は、
ａ．次のようにして、前記の既存屋根５ｌ上に、防水板４ａを施工し、
イ．既存屋根５ｌの開始出５ｍの先端に、防水板４ａの先端を合わせて、釘打ち固定し、
ロ．そして、その防水板４ａの端部に、他の防水板４ａの端部を当てて接した状態で釘打ち固定し、
ハ．上記を繰り返して既存屋根５ｌ上に防水板４ａを敷き詰めて、
ｂ．そして、その防水板４ａの軒先の端部に、次のように、唐草２と面戸材２ｏと隔板３とを取り付けて、
イ．前記の鼻屋根板１ｐの隆起部１ｍの施工予定位置に、隔板３の隔板止３ｅを、施工された防水板４ａの軒先の端部に当てて、複数配置し、
ロ．唐草２の唐草面２ａと固定片２ｅとの角を、隔板３の唐草止３ｆに合わせて、
ハ．唐草２の面戸覆２ｇを、隔板３の位置に合わせて、その固定片２ｅをネジ８により固定し、
ニ．その唐草２の面戸覆２ｇに、面戸材２ｏの面戸面２ｐを当てて接した状態と、面戸隆起２ｑを、隔板３の位置に合わせて配置し、
ｃ．そして、その面戸材２ｏの面戸隆起２ｑに、鼻屋根板１ｐの隆起部１ｍを被せて、その鼻屋根板１ｐの隆起部１ｍをネジ８により固定し、
ｄ．その鼻屋根板１ｐの段差部１ｏに、屋根板１の前端部１ｋの段差部１ｏを被せ、その前端部１ｋの隆起部１ｍをネジ８により固定し、
ｅ．上記と同様にして繰り返し、既存屋根５ｌの屋根面５ｂの上面を、防水板４ａと、複数の屋根材１とにより覆い、
ｆ．また、既存屋根５ｌ開始出５ｍを唐草２の唐草足２ｂと唐草面２ａとにより覆う、改修屋根５を施工する。
【実施例４】
【００３３】  図４，図１９，図２０，図２１，図２２，及び図２３は、この発明の実施例４を示すものである。【００３４】Ａ．図４に示す、実施例４においての屋根板１は、実施例１と同じものである。【００３５】Ｂ．図２２に示す、実施例４の唐草２はと嵌合材２ｈは、
ａ．唐草２は、長尺の金属板６を成形して、
イ．ほぼ平坦な、唐草面２ａの一側端を裏面側に鈍角のクランク状に折り曲げ、その先端を裏面側に折り返した、唐草足２ｂを形成し、
ロ．その唐草面２ａの他側部をＬ字形に裏面側に折り曲げて、その先端を表面側に折り返した、固定片２ｅを形成し、
ｂ．嵌合材２ｈは、長尺の金属板６を成形して、
イ．表面側にコの字形に折り曲げて、嵌合底２ｋと、
ロ．その嵌合底２ｋの両側の嵌合側端２ｊからなる嵌合隙２ｉを形成し、
ハ．その嵌合側端２ｊの一側部を裏面側に２回鈍角に折り曲げて、その先端折り返した、嵌合前垂２ｎを形成し、
ニ．更に、他方の嵌合側端２ｊを裏面側に折り返して、２回鈍角に裏面側に折り曲げて、取付底２ｍを形成し、
ホ．その取付底２ｍをＬ字形に表面側に折り曲げて、その先端を表面側に折り返した、取付片２ｌを形成している。【００３６】Ｃ．図２３に示す、実施例４においての隔板３は、
ａ．矩形の金属板６を成形して、
イ．ほぼ平坦な、隔板面３ａをクランク状に裏面側に折り曲げて、隔板溝３ｂを形成し
ロ．その隔板溝３ｂを、クランク状に表面側に折り曲げて、もう一つの隔板面３ａを形成し、
ハ．上記を繰り返して、隔板面３ａと隔板溝３ｂとを交互に複数形成し、
ニ．その隔板面３ａの裏面側に隔板隙３ｃを形成し、
ｂ．その隔板面３ａの一端を延長しＬ字形に表面側に折り曲げて、嵌合止３ｈを形成し、
ｃ．その隔板面３ａの他端を切り込みながら延長して、Ｕ字形に表面側に折り曲げて、固定止３ｇを形成している。【００３７】Ｄ．図６に示す、実施例４においての既存屋根５ｌは、実施例１と同じものである。【００３８】Ｅ．図１９，図２０，及び図２１に示す、実施例４の改修屋根５の施工は、
ａ．次のようにして、前記の既存屋根５ｌ上に、防水板４ａを施工し、
イ．既存屋根５ｌの開始出５ｍの先端に、防水板４ａの先端を合わせて、釘打ち固定し、
ロ．そして、その防水板４ａの端部に、他の防水板４ａの端部を当てて接した状態で釘打ち固定し、
ハ．上記を繰り返して既存屋根５ｌ上に防水板４ａを敷き詰めて、
ｂ．そして、その防水板４ａの軒先の端部に、次のように、唐草２と嵌合材２ｈと隔板３とを取り付けて、
イ．唐草２の唐草足２ｂと固定片２ｅとの間を、既存屋根５ｌの開始出５ｍに被せて、その唐草足２ｂを、既存屋根５ｌの水切５ｆに当てた状態で配置し、
ロ．そして、嵌合材２ｈの固定ピッチに合わせて、次のように、複数の隔板３を取り付けて、
○その嵌合材２ｈの取付片２ｌの先端に、隔板３の固定止３ｇを被せて、
○嵌合材２ｈの嵌合底２ｋに、隔板３の嵌合止３ｈを当てて接した状態とし、
ハ．次に、唐草２の唐草面２ａと固定片２ｅとの角に、嵌合材２ｈの嵌合前垂２ｎを当てた状態で、その取付片２ｌをネジ８により固定し、
ニ．そして、その唐草２の固定片２ｅから防水板４ａの上に、粘着性の防水紙４を貼り付け、
ｃ．そして、その嵌合材２ｈの嵌合隙２ｉに、屋根板１の差込片１ｄを差し込み、その屋根板１の釘打片１ｇを釘打ち固定し、
ｄ．その屋根板１の嵌合溝１ｅに、他の屋根板１の差込片１ｄを差し込み、後者の屋根材１の釘打片１ｇを釘打ち固定し、
ｅ．上記を繰り返し、既存屋根５ｌの屋根面５ｂの上面を防水紙４と、防水板４ａと、複数の屋根材１とにより覆い、
ｆ．また、既存屋根５ｌ開始出５ｍと防水板４ａの先端とを、唐草２の唐草足２ｂと唐草面２ａと固定片２ｅとにより覆う、改修屋根５を施工する。
【実施例５】
【００３９】  図４，図２４，図２５，図２６，図２７，及び図２８は、この発明の実施例５を示すものである。【００４０】Ａ．図４に示す、実施例５においての屋根板１は、実施例１と同じものである。【００４１】Ｂ．図２７に示す、実施例５の唐草２は、
ａ．金属板６を成形して、
イ．ほぼ平坦な、一側端を裏面側に折り返した、唐草面２ａを形成し、
ロ．その唐草面２ａの他端を表面側にＬ字形に折り曲げて、裏面側に折り返して嵌合辺２ｄを形成し、
ハ．その嵌合辺２ｄを、裏面側に鈍角にクランク状に折り曲げ、その先端を表面側に折り返した、固定片２ｅを形成している。【００４２】Ｃ．図２８に示す、実施例５においての隔板３と屋根隔板３ｉは、
ａ．隔板３は合成樹脂７を成形して、
イ．ほぼ平坦な、隔板面３ａをＵ字形に表面側に折り曲げて、固定止３ｇを形成し、
ロ．その隔板面３ａの裏面側の周囲を突起させて、隔板裾３ｄを形成し、
ハ．その隔板面３ａの裏面側の隔板裾３ｄ内に、隔板隙３ｃを形成し、
ｂ．屋根隔板３ｉは、隔板３とその構成が同じであるが、
イ．唐草２の固定片２ｅに合う寸法である隔板３に対して、屋根板１の釘打片１ｇに合う寸法に屋根隔板３ｉは形成されている。【００４３】Ｄ．図１２に示す、実施例５においての既存屋根５ｌは、実施例２と同じものである。【００４４】Ｅ．図２４，図２５，及び図２６に示す、実施例５の改修屋根５の施工は、
ａ．次のようにして、前記の既存屋根５ｌの先端に、唐草２を施工し、
イ．唐草２の固定ピッチに合わせて、次のように、複数の隔板３を取り付けて、
○その唐草２の固定片２ｅの先端に、隔板３の固定止３ｇを被せて、
ロ．唐草２の唐草面２ａと固定片２ｅとの角を、既存屋根５ｌの開始出５ｍに被せて、その固定片２ｅを、隔板３を介してネジ８により固定し、
ハ．そして、その唐草２の固定片２ｅから既存屋根５ｌの屋根版５ａの上に、粘着性の防水紙４を貼り付け、
ｃ．そして、その唐草２の嵌合辺２ｄに、屋根板１の差込片１ｄを引っ掛けて、その屋根板１の釘打片１ｇに、次のように屋根隔板３ｉを介してネジ８により固定し、
イ．屋根板１の固定ピッチに合わせて、次のように、複数の屋根隔板３ｉを取り付けて、
○その屋根板１の釘打片１ｇの先端に、屋根隔板３ｉの固定止３ｇを被せて、
ｄ．その屋根板１の嵌合溝１ｅに、他の屋根板１の差込片１ｄを差し込み、後者の屋根材１の釘打片１ｇを、屋根隔板３ｉを介してネジ８により固定し、
ｅ．上記を繰り返し、既存屋根５ｌの屋根面５ｂの上面を防水紙４と、複数の屋根材１とにより覆い、
ｆ．また、既存屋根５ｌの開始出５ｍを、唐草２の唐草面２ａにより覆う、改修屋根５を施工する。
【図面の簡単な説明】
【００４５】
【図１】  屋根の施工状態を示す一部省略幅方向断面図（実施例１）
【図２】  屋根の施工状態を示す一部省略斜視図（実施例１）
【図３】  屋根の施工状態を示す一部省略斜視図（実施例１）
【図４】  屋根板を示す一部省略斜視図（実施例１）
【図５】  唐草を示す一部省略斜視図（実施例１）
【図６】  既存屋根の施工状態を示す一部省略斜視図（実施例１、３、４）
【図７】  屋根の施工状態を示す一部省略幅方向断面図（実施例２）
【図８】  屋根の施工状態を示す一部省略斜視図（実施例２）
【図９】  屋根の施工状態を示す一部省略斜視図（実施例２）
【図１０】  屋根板を示す一部省略斜視図（実施例２）
【図１１】  唐草を示す一部省略斜視図（実施例２）
【図１２】  既存屋根の施工状態を示す一部省略斜視図（実施例２、５）
【図１３】  屋根の施工状態を示す一部省略幅方向断面図（実施例３）
【図１４】  屋根の施工状態を示す一部省略斜視図（実施例３）
【図１５】  屋根の施工状態を示す一部省略斜視図（実施例３）
【図１６】  屋根板を示す一部省略斜視図（実施例３）
【図１７】  唐草を示す斜視図（実施例３）
【図１８】  隔板を示す斜視図（実施例３）
【図１９】  屋根の施工状態を示す一部省略幅方向断面図（実施例４）
【図２０】  屋根の施工状態を示す一部省略斜視図（実施例４）
【図２１】  屋根の施工状態を示す一部省略斜視図（実施例４）
【図２２】  唐草を示す斜視図（実施例４）
【図２３】  隔板を示す斜視図（実施例４）
【図２４】  屋根の施工状態を示す一部省略幅方向断面図（実施例５）
【図２５】  屋根の施工状態を示す一部省略斜視図（実施例５）
【図２６】  屋根の施工状態を示す一部省略斜視図（実施例５）
【図２７】  唐草を示す斜視図（実施例５）
【図２８】  隔板を示す斜視図（実施例５）
【符号の説明】
【００４６】１  屋根板
２  唐草
３  隔板
４  防水紙
５  屋根
６  金属板
７  合成樹脂
８  ネジ
【図１】
0005405713.tif 000002
【図２】
0005405713.tif 000003
【図３】
0005405713.tif 000004
【図４】
0005405713.tif 000005
【図５】
0005405713.tif 000006
【図６】
0005405713.tif 000007
【図７】
0005405713.tif 000008
【図８】
0005405713.tif 000009
【図９】
0005405713.tif 000010
【図１０】
0005405713.tif 000011
【図１１】
0005405713.tif 000012
【図１２】
0005405713.tif 000013
【図１３】
0005405713.tif 000014
【図１４】
0005405713.tif 000015
【図１５】
0005405713.tif 000016
【図１６】
0005405713.tif 000017
【図１７】
0005405713.tif 000018
【図１８】
0005405713.tif 000019
【図１９】
0005405713.tif 000020
【図２０】
0005405713.tif 000021
【図２１】
0005405713.tif 000022
【図２２】
0005405713.tif 000023
【図２３】
0005405713.tif 000024
【図２４】
0005405713.tif 000025
【図２５】
0005405713.tif 000026
【図２６】
0005405713.tif 000027
【図２７】
0005405713.tif 000028
【図２８】
0005405713.tif 000029